(57)【特許請求の範囲】
【請求項１】
排水トラップのホースジョイントと洗濯機の排水ホースとの間に介在させるアダプターであって、
前記ホースジョイントに嵌合するプラスチック材からなる小円筒部と、円筒状であって一端が開放され他端はその中心から偏心した位置に前記小円筒部が接続する開口部を有し他の部分は封止され、かつ円筒状表面に螺旋状のネジ山が形成されたプラスチック材からなる大円筒部とを備えたアダプター部Ａと、
前記洗濯機の排水ホースと嵌合するプラスチック材からなる小円筒部と、円筒状であって一端が開放され他端はその中心から偏心した位置に前記小円筒部が接続する開口部を有し他の部分は封止され、かつ円筒状内面には前記アダプター部Ａの円筒状表面に形成された螺旋状のネジ山と螺合する螺旋状のネジ溝が形成されたプラスチック材からなる大円筒部とを備えたアダプター部Ｂと、
前記アダプター部Ａの大円筒部の前記開口部に嵌合する網かご状の金属製ネットと、
前記アダプター部Ｂの大円筒部の内部奥に配置されるドーナツ状のパッキンと、
を備えたことを特徴とするアダプター。
【請求項２】
排水トラップのホースジョイントと洗濯機の排水ホースとの間に介在させるアダプターであって、
前記ホースジョイントに嵌合するプラスチック材からなる小円筒部と、円筒状であって一端が開放され他端はその中心位置に前記小円筒部が接続する開口部を有し他の部分は封止され、かつ円筒状表面に螺旋状のネジ山が形成されたプラスチック材からなる大円筒部とを備えたアダプター部Ｃと、
前記洗濯機の排水ホースと嵌合するプラスチック材からなる小円筒部と、円筒状であって一端が開放され他端はその中心位置に前記小円筒部が接続する開口部を有し他の部分は封止され、、かつ円筒状内面には前記アダプター部Ｃの円筒状表面に形成された螺旋状のネジ山と螺合する螺旋状のネジ溝が形成されたプラスチック材からなる大円筒部とを備えたアダプター部Ｄと、
前記アダプター部Ｃの大円筒部の前記開口部に嵌合する網かご状の金属製ネットと、
前記アダプター部Ｄの大円筒部の内部奥に配置されるドーナツ状のパッキンと、
を備えたことを特徴とするアダプター。
【請求項３】
前記プラスチック材は透明材からなることを特徴とする請求項１または２記載のアダプター。
【請求項４】
前記金属製ネットは、銅、アルミニウム、ステンレス、亜鉛製のいずれか又は鉄材に銅、アルミニウム、銀、亜鉛のいずれかをメッキしたものであることを特徴とする請求項１又は２記載のアダプター。
【発明の詳細な説明】
【技術分野】
【０００１】
本発明は、排水トラップのホースジョイントと洗濯機の排水ホースとの間に介在させるアダプター関するものである。
【背景技術】
【０００２】
一般に、流し場などの汚水その他の水を扱う場所には、排水ホースから流出する廃水（汚水）を床下に配設した排水管に案内し、かつ臭気を防止するために床面下に排水トラップが設けられ、この排水トラップには排水ホースを接続するためのホースジョイントが床面上に延出した状態で取り付けられている。
例えば、洗濯機の排水の場合、排水ホースを排水トラップのホースジョイントに接続し、排水ホースから流出する排水はホースジョイントから排水トラップ内に流れ込んで、排水管側へ送られる構造となっている。
【０００３】
例えば、特許文献１には、既存の排水管に対してトラップを簡単に形成できる組み込み式の排水トラップが提案されていて、この排水トラップを用いることで、通常の排水管に洗濯機の排水を流す場合でも臭気の逆流を防止することができるようにしている。
【０００４】
また、特許文献２には、上端開口部に目皿を有し、目皿にホース取付用エルボ（ホースジョイント）を備え、目皿の周縁下面に、孔部内径がホース取付用エルボの下端と略等しく、また外径が目皿周縁と略等しい泡立ち防止板を設け、ホース取付用エルボの下端を泡立ち防止板の孔部に挿通した排水トラップが提案されている。これによれば、 洗濯機 からの排水トラップ への流水が止まっても、排水トラップ に設けた泡立ち防止板の孔部から泡が吹き上がるのを防止することができるとしている。
【０００５】
また、特許文献３に記載の排水トラップは、床面に取り外し可能に備えられて、床面開口部を覆う蓋体に、床面開口部に嵌挿される排水管が連結される排水管接続部と、洗濯機排水ホースがホースジョイントを介して連結されるホース接続部とを設け、該ホース接続部に形成したネジ部にパッキンホルダーを着脱自在に螺合して、前記蓋体と、該蓋体に形成した取付孔のある床取付けネジ部を覆うようにカバーを設けた前記パッキンホルダーを介してホースジョイントとを被覆一体化する構成としたもので、前記蓋体の排水管接続部と前記ホースジョイントとに嵌挿保持されるスロートと、該スロートに嵌合される封水管体とを排水管内に配備したものである。
【０００６】
この構造によれば、床面に排水トラップの蓋体をネジ止めしてもこの床取付けネジ部は覆われてネジ部でのゴミ溜まりがなく体裁良好で外観品位も高められ手入れも簡単であり、緩み止めが確実で水漏れ現象もなく安全性を大巾に高めることができるし、洗濯機の排水の際に排水量が増加しても外部に溢れることなく水密状態を保って確実に排出できると共に、下流側からの臭気の逆流も確実に止めることができるほか、施行工事が容易で、しかも排水管内の高流速の維持で排水口のごみ詰り現象がないとしている。
【０００７】
【特許文献１】実用新案登録第２５２７３３７号公報
【特許文献２】特開２０００−７３４２７号公報
【特許文献３】特許第３９４６０７９号公報
【発明の開示】
【発明が解決しようとする課題】
【０００８】
ところで、上記特許文献１、２、３のいずれの場合も同様であるが、洗濯機からの排水を長期間に渡って流していると、排水トラップ内は水あか、塵、細菌の塊等によってぬめりがひどくなり、排水の流れが悪くなるとともに、排水トラップそのもの自体から臭気が発生することもある。このため、定期的に排水トラップの内部を清掃することが望まれるが、分解清掃作業が煩雑であるという問題がある。
【０００９】
本発明の課題は、排水ホースから長期に渡って排出された汚水によるぬめり、排水トラップ内に生じさせないようにし、かつ工具など無くとも誰でも簡単に清掃することができる排水トラップのホースジョイントと洗濯機の排水ホースとの間に介在させるアダプターの提供にある。
【課題を解決するための手段】
【００１０】
本発明は、上記課題を解決するために次の手段を採用した。
請求項１記載のアダプターは、排水トラップのホースジョイントと洗濯機の排水ホースとの間に介在させるアダプターであって、前記ホースジョイントに嵌合するプラスチック材からなる小円筒部と、円筒状であって一端が開放され他端はその中心から偏心した位置に前記小円筒部が接続する開口部を有し他の部分は封止され、かつ円筒状表面に螺旋状のネジ山が形成されたプラスチック材からなる大円筒部とを備えたアダプター部Ａと、前記洗濯機の排水ホースと嵌合するプラスチック材からなる小円筒部と、円筒状であって一端が開放され他端はその中心から偏心した位置に前記小円筒部が接続する開口部を有し他の部分は封止され、かつ円筒状内面には前記アダプター部Ａの円筒状表面に形成された螺旋状のネジ山と螺合する螺旋状のネジ溝が形成されたプラスチック材からなる大円筒部とを備えたアダプター部Ｂと、前記アダプター部Ａの大円筒部の前記開口部に嵌合する網かご状の金属製ネットと、前記アダプター部Ｂの大円筒部の内部奥に配置されるドーナツ状のパッキンと、を備えたことを特徴としている。
【００１１】
請求項２記載のアダプターは、排水トラップのホースジョイントと洗濯機の排水ホースとの間に介在させるアダプターであって、前記ホースジョイントに嵌合するプラスチック材からなる小円筒部と、円筒状であって一端が開放され他端はその中心位置に前記小円筒部が接続する開口部を有し他の部分は封止され、かつ円筒状表面に螺旋状のネジ山が形成されたプラスチック材からなる大円筒部とを備えたアダプター部Ｃと、前記洗濯機の排水ホースと嵌合するプラスチック材からなる小円筒部と、円筒状であって一端が開放され他端はその中心位置に前記小円筒部が接続する開口部を有し他の部分は封止され、かつ円筒状内面には前記アダプター部Ｃの円筒状表面に形成された螺旋状のネジ山と螺合する螺旋状のネジ溝が形成されたプラスチック材からなる大円筒部とを備えたアダプター部Ｄと、前記アダプター部Ｃの大円筒部の前記開口部に嵌合する網かご状の金属製ネットと、前記アダプター部Ｄの大円筒部の内部奥に配置されるドーナツ状のパッキンと、を備えたことを特徴としている。
【００１２】
請求項３記載のアダプターは、請求項２又は３記載のアダプターにおいて、プラスチック材は透明材からなることを特徴としている。
【００１３】
請求項４記載のアダプターは、請求項２又は３記載のアダプターにおいて、金属製ネットは、銅、アルミニウム、ステンレス、亜鉛製のいずれか又は鉄材に銅、アルミニウム、銀、亜鉛のいずれかをメッキしたものであることを特徴としている。
【発明の効果】
【００１４】
請求項１記載のアダプターの場合、排水トラップのホースジョイントにアダプター部Ａの小円筒部を嵌合させ、大円筒部の小円筒部につながる開口部に金属製ネットを嵌め込み、大円筒部の空間には袋に詰められた状態で市販されている防汚・洗浄・除菌効果のある薬剤を収納し、次にアダプターＢの大円筒部をアダプターＡ部の大円筒部に被せるように螺合させ、アダプターＢ部の小円筒部に洗濯機の排水ホースと嵌め込んで使用する。
【００１５】
洗濯機の排水は、このアダプター内で薬剤により防汚・洗浄・除菌され、また排水に混じる塵は金属製ネットに捕捉されて排水トラップへと排出されるので、排水トラップ内のぬめりを極めて少なくすることができ、排水トラップのメンテナンスはほとんど必要としなくなる。そして、このアダプターは洗濯機の下空間に位置するので、工具無しで誰でも簡単に取り外しができ、掃除することができるとともに、薬剤の交換も簡単に行える。
【００１６】
また、小円筒部を大円筒部の中心から偏心した位置に設けているので、高さを高くせずに薬剤を入れる空間を広くすることができる。
【００１７】
請求項２記載のアダプターの場合、排水トラップのホースジョイントにアダプター部Ｃの小円筒部を嵌合させ、大円筒部の小円筒部につながる開口部に金属製ネットを嵌め込み、大円筒部の空間には袋に詰められた状態で市販されている防汚・洗浄・除菌効果のある薬剤を収納し、次にアダプターＤの大円筒部をアダプターＣ部の大円筒部に被せるように螺合させ、アダプターＤ部の小円筒部に洗濯機の排水ホースと嵌め込んで使用する。
【００１８】
洗濯機の排水は、このアダプター内で薬剤により防汚・洗浄・除菌され、また排水の混じる塵は金属製ネットに捕捉されるので、排水トラップ内のぬめりを極めて少なくすることができ、排水トラップのメンテナンスはほとんど必要としなくなる。また、このアダプターは洗濯機の下空間に位置するので、工具無しで誰でも簡単に取り外しができ、掃除することができるし、薬剤の交換も簡単に行える。
【００１９】
このアダプターは、請求項１記載のアダプターと形状が異なり、小円筒部が大円筒部の中心に対して偏心されていないので、床面高を制限される環境においては大円筒部の薬剤収納空間が請求項１記載のアダプターよりは小さくなるが、偏心していないので成形・型抜きなど製造工程が簡単になる。
【００２０】
請求項３記載のアダプターによれば、プラスチック材を透明材にしたので、内部を外から視認することができ、汚れや塵つまり等が分かり易く、清掃や薬剤の交換時期を判断しやすくなる。
【００２１】
請求項４記載のアダプターによれば、金属製ネットを、銅、アルミニウム、ステンレス、亜鉛製のいずれか又は鉄材に銅、アルミニウム、銀、亜鉛のいずれかをメッキしたので、錆にくいとともに、銅、アルミニウム、亜鉛、銀イオンには除菌効果も期待することができる。
【発明を実施するための最良の形態】
【００２２】
以下、この発明の実施の形態を図面を参照して説明する。
図１は、この発明の第１の実施の形態に係るアダプター１０を断面図で示したもので、図２は分解図、図３は分解斜視図、図４は使用状態の説明図である。
本発明の第１の実施形態に係るアダプターは床面や防水パンに設置される臭気防止用の排水トラップのホースジョイントと洗濯機の排水ホースとの間に介在させるアダプター関するものである。アダプター１０は、図１又は図２に示すように、排水トラップのホースジョイントに嵌合するプラスチック材からなる小円筒部１１と、円筒状であって一端が開放され他端はその中心から偏心した位置に前記小円筒部１１が接続する開口部１２ａを有し他の部分は封止され、かつ円筒状表面に螺旋状のネジ山１２ｂが形成されたプラスチック材からなる大円筒部１２とを備えたアダプター部Ａを有している。
【００２３】
また一方、洗濯機の排水ホースと嵌合するプラスチック材からなる小円筒部１３と、円筒状であって一端が開放され他端はその中心から偏心した位置に前記小円筒部１３が接続する開口部１４ａを有し他の部分は封止され、かつ円筒状内面には前記アダプター部Ａの円筒状表面に形成された螺旋状のネジ山１２ｂと螺合する螺旋状のネジ溝１４ｂが形成されたプラスチック材からなる大円筒部１４とを備えたアダプター部Ｂを有している。
なお、プラスチック材としては、透明性の高いプラスチック、例えばアクリル樹脂、ポリエチレン樹脂などが好適である。
【００２４】
さらに、アダプター１０は、アダプター部Ａの大円筒部１２の開口部１２ａに嵌合する網かご状の金属製ネット１５と、前記アダプター部Ｂの大円筒部の内部奥に配置されるプラスチックあるいはシリコーンゴムなどからなるドーナツ状のパッキン１６とを備えている。金属製ネット１５は、図２に示すように、アダプター部Ａの大円筒部１２の開口部１２ａに嵌合させるため、円筒リング状の基底部１５ａと、ドーム状の金網１５ｂと基底部１５ａと金網１５ｂとの接合部の周辺に沿ってパッキン１５ｃが設けられている。金属製ネット１５の材質としては、銅、アルミニウム、ステンレス、亜鉛製のいずれか又は鉄材に銅、アルミニウム、銀、亜鉛のいずれかをメッキしたものであることが望ましい。
【００２５】
図３は、アダプターＡの開口部１２ａに金属製ネット１５を嵌め込み、アダプターＡ部とアダプターＢ部とを外した状態の斜視図である。
【００２６】
このアダプター１０の実際の使用方法を図４に示す。
図４に示すように、排水トラップ（図示を省略）のホースジョイント３０にアダプターＡ部の小円筒部１１を嵌合させ、大円筒部１２の小円筒部１１につながる開口部１２ａに金属製ネット１５を嵌め込み、大円筒部１２の空間には袋に詰められた状態で市販されている防汚・洗浄・除菌効果のある薬剤１７を収納する。次に、アダプターＢ部の大円筒部１４をアダプターＡ部の大円筒部１２に被せるように螺合させ、アダプターＢ部の小円筒部１３に洗濯機の排水ホース４０と嵌め込んで使用する。
【００２７】
洗濯機の排水は、このアダプター内で薬剤により防汚・洗浄・除菌され、また排水の混じる塵は金属製ネットに捕捉されて、ホースジョイント３０を通って排水トラップへと排出されるので、排水トラップ内のぬめりを少なくすることができる。そして、このアダプターは洗濯機の下空間に位置するので、工具無しで誰でも簡単に取り外しができ、掃除することができるとともに、薬剤の交換も簡単に行える。また、小円筒部を大円筒部の中心から偏心した位置に設けているので、高さを高くせずに薬剤を入れる空間を広くすることができる。また、プラスチック材を透明材で構成することにより、内部が視認でき、薬剤の交換時期や清掃時期の判断がしやすくなる。
【００２８】
次に、本発明に係るアダプターの第２の実施形態について図面を参照して説明する。
図５は、この発明の第２の実施の形態に係るアダプター２０を断面図で示したもので、図６は分解図、図７は分解斜視図、図８は使用状態の説明図である。
本発明の第２の実施形態に係るアダプターも床面や防水パンに設置される臭気防止用の排水トラップのホースジョイントと洗濯機の排水ホースとの間に介在させるアダプター関するものである。アダプター２０も、図５又は図６に示すように、排水トラップのホースジョイントと洗濯機の排水ホースとの間に介在させるアダプターであって、前記ホースジョイントに嵌合するプラスチック材からなる小円筒部２１と、円筒状であって一端が開放され他端はその中心位置に前記小円筒部２１が接続する開口部２１ａを有し他の部分は封止され、かつ円筒状表面に螺旋状のネジ山２２ｂが形成されたプラスチック材からなる大円筒部２２とを備えたアダプター部Ｃを有している。
【００２９】
また、洗濯機の排水ホースと嵌合するプラスチック材からなる小円筒部２３と、円筒状であって一端が開放され他端はその中心位置に前記小円筒部２３が接続する開口部２４ａを有し他の部分は封止され、かつ円筒状内面には前記アダプター部Ｃの円筒状表面に形成された螺旋状のネジ山２２ｂと螺合する螺旋状のネジ溝２４ｂが形成されたプラスチック材からなる大円筒部２４とを備えたアダプター部Ｄを有している。
【００３０】
さらに、アダプター２０は、アダプター部Ｃの大円筒部２２の開口部２２ａに嵌合する網かご状の金属製ネット２５と、前記アダプター部Ｄの大円筒部２４の内部奥に配置されるプラスチックあるいはシリコーンゴムなどからなるドーナツ状のパッキン２６とを備えている。金属製ネット２５は、図６に示すように、アダプター部Ｃの大円筒部２２の開口部２２ａに嵌合させるため、円筒リング状の基底部２５ａと、ドーム状の金網２５ｂと基底部２５ａと金網２５ｂとの接合部の周辺に沿ってパッキン２５ｃが設けられている。
【００３１】
図７は、アダプターＣ部の開口部２２ａに金属製ネット２５を嵌め込み、アダプターＣ部とアダプターＤ部とを外した状態の斜視図である。
【００３２】
このアダプター２０の実際の使用方法を図８に示す。使用方法は、アダプター１０の場合と同様であり、図８に示すように、排水トラップ（図示を省略）のホースジョイント３０にアダプターＣ部の小円筒部２１を嵌合させ、大円筒部２２の小円筒部２１につながる開口部２２ａに金属製ネット２５を嵌め込み、大円筒部２２の空間には袋に詰められた防汚・洗浄・除菌効果のある薬剤１７を収納する。次に、アダプターＤ部の大円筒部２４をアダプターＣ部の大円筒部２２に被せるように螺合させ、アダプターＤ部の小円筒部２３に洗濯機の排水ホース４０と嵌め込んで使用する。
【００３３】
防汚・洗浄・除菌効果及びメンテナンス効果は、第１の実施形態に係るアダプター１０と同様であるが、このアダプター２０は、小円筒部２１が大円筒部２２の中心に対して偏心されていないので、成形・型抜きなど製造工程が簡単になる。
【産業上の利用可能性】
【００３４】
上記実施の形態では、アダプターを洗濯機の排水ホースと排水トラップのホースジョイント間に介在させるものとして説明したが、これに限らず、家庭用の皿洗い機やシンクの排水ホースと排水トラップの間に介在利用することが可能である。
【図面の簡単な説明】
【００３５】
【図１】本発明に係るアダプターの第１の実施形態を断面図で示したものである。
【図２】図１に示すアダプターの分解図である。
【図３】図１に示すアダプタの分解斜視図である。
【図４】図１に示すアダプタの使用状態を示す説明図である。
【図５】本発明に係るアダプターの第２の実施形態を断面図で示したものである。
【図６】図５に示すアダプターの分解図である。
【図７】図５に示すアダプタの分解斜視図である。
【図８】図５に示すアダプタの使用状態を示す説明図である。
【符号の説明】
【００３６】
１０（２０）    アダプター
１１（２１）    小円筒部
１２（２２）    大円筒部
１２ａ（２２ａ）  開口部
１２ｂ（２２ｂ）  螺旋状のネジ山
１３（２３）    小円筒部
１４（２４）    大円筒部
１４ａ（２４ａ）  開口部
１４ｂ（２４ｂ）  螺旋状のネジ溝
１５（２５）    金属製ネット
１６（２６）    パッキン
１７    薬剤
３０    ホースジョイント
４０    洗濯機排水ホース
【図１】
0004861936.tif 000002
【図２】
0004861936.tif 000003
【図３】
0004861936.tif 000004
【図４】
0004861936.tif 000005
【図５】
0004861936.tif 000006
【図６】
0004861936.tif 000007
【図７】
0004861936.tif 000008
【図８】
0004861936.tif 000009